(57)【特許請求の範囲】
【請求項１】
各競馬場内外の現金投票所に設置し、ユーザが勝馬投票券を購入できる固定型投票端末機と、それらの端末機から通信回線を介するアクセス信号に応答する投票応答サブシステムと、前記現金投票所における通常の現金購入による投票データ発信端末及び前記サブシステムから通信回線を介して投票データを収集すると共に、開催日案内／出馬表／オッズ情報を含む各競馬場の投票情報を更新・記録する投票管理運営企業側の総合センタのホスト計算機システムとにより構成し、
前記固定型投票端末機に対しユーザが投票券購入データを入力し、その購入料金現金を投入すれば、前記投票応答サブシステムはそのアクセス信号を受信し、前記ホスト計算機システムと交信して投票の申込受付処理を行い、その投票受付Ｎｏ．を受信して、前記ユーザが利用している固定型投票端末機へ、その受付Ｎｏ．及び投票券或は投票データを印刷したレシートを出力させる勝馬投票システムにおいて、
前記競馬場のユーザの観客席・指定席に前記投票管理運営企業の発売係員が携帯可能な形状で、前記投票応答サブシステムと無線ＬＡＮ通信により接続されており、ユーザーの投票券申し込みがあれば、投票申込みを行い、観客席・指定席のユーザの勝馬投票券の購入ができる移動型投票端末機と、
現金投票所に設置された、前記移動型投票端末機の投票券購入料金処理に使うプリペイドカードを記録媒体で形成し、前記投票応答サブシステムへそのカードの識別番号をＩＤとする一時会員として記録させ、その識別番号をカードへ印刷し発行する移動型投票端末機専用のプリペイドカード発行装置と、
その現金投票所に設置された、前記専用プリペイドカードの精算処理ができるプリペイドカード払戻機とをさらに備え、
前記移動型投票端末機は、前記専用のプリペイドカードをプリペイドカードリーダ部より読込むと共に投票応答サブシステムと交信し、前記一時会員のカード識別番号により残金情報を受信しその金額を表示部へ表示するカード残金表示手段と、購入したい投票券を特定するためマークを記入した投票カードを投票カードリーダ部より読込み、エラーチェックを行い、エラーが無く、且つ前記残金の範囲内であれば前記投票応答サブシステムに送信する投票情報送信手段と、前記投票応答サブシステムが、前記ホスト計算機システムと交信して取得した投票受付Ｎｏ．を受信し、且つ投票受付Ｎｏ．と共に発売許可信号も受信し、表示部へ表示する受付Ｎｏ．／発売許可信号受信手段と、前記発売許可信号を受信したときは、その投票受付Ｎｏ．を含む情報データのレシートをレシートプリンタにより印刷出力する投票情報レシート印刷手段と、投票カードにエラーがあったときは、係員が訂正できるテンキー・ファンクションキーにより投票内容を訂正する投票カード訂正手段とを備えることを特徴とする発売係員携帯の移動型投票端末機を利用できる勝馬投票システム。
【請求項２】
前記プリペイドカード発行装置は、現金計数収納部に投入された現金を計数し、収納する現金計数収納手段と、
前記現金計数収納部による計数金額データを表示部へ出力する投入金額表示手段と、
投入金額と計数金額が一致したことを確認するユーザの押下するＯＫボタン信号を認識する確認信号認識手段と、
少なくとも前記計数金額と一時会員加入を示すカード識別番号をプリペイドカードに書込むと共に、同内容をカード印刷部に印刷させるプリペイドカード生成手段と、
その生成したプリペイドカードの内容情報を前記投票応答サブシステムへ通信回線接続回路部を介して送信し、そのカードをカード発行排出口より排出するプリペイドカード発行手段とを備えることを特徴とする請求項１記載の発売係員携帯の移動型投票端末機を利用できる勝馬投票システム。
【請求項３】
前記プリペイドカード発行装置は、現金収納係員が携帯可能な形状で、
ユーザから受取った現金の金額を入力するキー入力部から金額データ信号を受け、次に発行開始の押下信号を受ける金額データ／発行開始信号入力手段と、
前記金額と一時会員カード識別番号をプリペイドカードに書込むと共に、同内容をレシート印刷部にレシートを印刷させるプリペイドカード生成手段と、
その生成したプリペイドカードの内容情報を前記投票応答サブシステムへ通信回線接続回路部を介して送信し、そのカードをカード発行排出口より排出するプリペイドカード発行手段とを備えることを特徴とする請求項１又は２記載の発売係員携帯の移動型投票端末機を利用できる勝馬投票システム。
【請求項４】
前記プリペイドカード払戻機は、プリペイドカードリーダ部の挿入口へ挿入されたカードのデータ情報を読取るカードデータ読取手段と、
前記投票応答サブシステムと交信し、そこに一時会員として登録されたデータベースを検索し、カードの残額を表示し確認させるカード残額表示確認手段と、
その精算希望があれば、現金排出部へ指令信号を送り、その金額を排出口より排出する残額排出手段と、
前記残額情報データをレシート印刷部へ指令してレシートに印刷して排出するレシート出力手段とを備えることを特徴とする請求項１、２又は３記載の発売係員携帯の移動型投票端末機を利用できる勝馬投票システム。
【発明の詳細な説明】
【０００１】
【発明の属する技術分野】
本発明は、各競馬場の現金投票所に設置した固定型投票端末機と、それらの端末機からの通信回線を介した投票申込アクセス信号に応答する投票応答サブシステムと、その現金投票所の現金購入による投票データ発信端末及び前記サブシステムからの投票データを収集し、投票情報を更新・記録するホスト計算機システムとによる構成の勝馬投票システムにおいて、各競馬場の観客席・指定席に配置した発売係員が携帯する移動型投票端末機を、さらに前記構成に加える勝馬投票システムに関する。
【０００２】
【従来の技術】
従来の現金投票所に設置されている勝馬投票端末機１０は、設置場所に固定され、投票管理運営企業側の関係者以外は移動できないようになっている。
【０００３】
すなわち、固定型勝馬投票端末機１０は、通常ユーザが投票カード１５０に投票購入券を指定するチェックマークを記入して、その投票カードリーダ部１４に挿入すると共に現金を現金計数収納部１５の収納口へ投入すれば、その投票カード１５０の投票データ及び収納した現金の計数データを読込み、投票管理運営企業側の投票応答サブシステム５０及び総ての投票データを収集するホスト計算機システム６０と交信し、投票受付処理を行い、固定型勝馬投票端末機１０を利用しているユーザへ勝馬投票券またはレシート等の処理結果データをレシート印刷部１６で印刷したレシートを排出するようになっていた。
【０００４】
固定型勝馬投票端末機１０は、競馬場または場外勝馬投票券発売所の要所に複数箇所設けられていた。来場者は、勝馬投票券の購入の都度この端末機の設置されているコーナーまで足を運んでいた。
【０００５】
競馬場の観客席設備の充実により環境が快適となり、特にその指定席では各テーブルに小型液晶ＴＶが設けられ、ユーザ指定席来場者はテーブルを離れることなく各種の情報が手に入れることができる。このため、指定席来場者は指定席から離れることなく競馬競技を楽しむことができ、投票券の購入のために離席しなければならないことを不便であると感じていた。
【０００６】
このため、勝馬投票券購入を指定席の座席でも行なえるような施設の整備が求められていた。しかし、前記固定型勝馬投票端末機をそれぞれの座席に設備するには多額の設備投資が必要である問題があった。
【０００７】
【発明が解決しようとする課題】
本発明は前述した問題点に鑑みてなされたものであり、その目的とするところは、競馬場内外の現金投票所に設置した固定型勝馬投票端末機１０に加えて、投票管理運営企業の発売係員が携帯して指定席で来場者の要請により投票券購入を受けて、その場所で直ちに、投票申込の受付処理を投票応答サブシステム５０及びホスト計算機システム６０と無線通信により行える移動型勝馬投票端末機２０を備えて、ユーザが固定型投票端末機１０まで投票券購入のため、わざわざ離席しなくてもすむ勝馬投票システムを提供することにある。
【０００８】
【課題を解決するための手段】
本発明の発売係員携帯の移動型投票端末機を利用できる勝馬投票システムは、各競馬場内外の現金投票所に設置し、ユーザが勝馬投票券を購入できる固定型投票端末機と、それらの端末機から通信回線を介するアクセス信号に応答する投票応答サブシステムと、前記現金投票所における通常の現金購入による投票データ発信端末及び前記サブシステムから通信回線を介して投票データを収集すると共に、開催日案内／出馬表／オッズ情報を含む各競馬場の投票情報を更新・記録する投票管理運営企業側の総合センタのホスト計算機システムとにより構成し、
前記固定型投票端末機に対しユーザが投票券購入データを入力し、その購入料金現金を投入すれば、前記投票応答サブシステムはそのアクセス信号を受信し、前記ホスト計算機システムと交信して投票の申込受付処理を行い、その投票受付Ｎｏ．を受信して、前記ユーザが利用している固定型投票端末機へ、その受付Ｎｏ．及び投票券或は投票データを印刷したレシートを出力させる勝馬投票システムにおいて、
前記競馬場のユーザの観客席・指定席に前記投票管理運営企業の発売係員が携帯可能な形状で、前記投票応答サブシステムと無線ＬＡＮ通信により接続されており、ユーザーの投票券申し込みがあれば、投票申込みを行い、観客席・指定席のユーザの勝馬投票券の購入ができる移動型投票端末機と、
現金投票所に設置された、前記移動型投票端末機の投票券購入料金処理に使うプリペイドカードを記録媒体で形成し、前記投票応答サブシステムへそのカードの識別番号をＩＤとする一時会員として記録させ、その識別番号をカードへ印刷し発行する移動型投票端末機専用のプリペイドカード発行装置と、
その現金投票所に設置された、前記専用プリペイドカードの精算処理ができるプリペイドカード払戻機とをさらに備え、
前記移動型投票端末機は、前記専用のプリペイドカードをプリペイドカードリーダ部より読込むと共に投票応答サブシステムと交信し、前記一時会員のカード識別番号により残金情報を受信しその金額を表示部へ表示するカード残金表示手段と、購入したい投票券を特定するためマークを記入した投票カードを投票カードリーダ部より読込み、エラーチェックを行い、エラーが無く、且つ前記残金の範囲内であれば前記投票応答サブシステムに送信する投票情報送信手段と、前記投票応答サブシステムが、前記ホスト計算機システムと交信して取得した投票受付Ｎｏ．を受信し、且つ投票受付Ｎｏ．と共に発売許可信号も受信し、表示部へ表示する受付Ｎｏ．／発売許可信号受信手段と、前記発売許可信号を受信したときは、その投票受付Ｎｏ．を含む情報データのレシートをレシートプリンタにより印刷出力する投票情報レシート印刷手段と、投票カードにエラーがあったときは、係員が訂正できるテンキー・ファンクションキーにより投票内容を訂正する投票カード訂正手段とを備えることを特徴とする。
【００１０】
また、前記プリペイドカード発行装置は、現金計数収納部に投入された現金を計数し、収納する現金計数収納手段と、
前記現金計数収納部による計数金額データを表示部へ出力する投入金額表示手段と、
投入金額と計数金額が一致したことを確認するユーザの押下するＯＫボタン信号を認識する確認信号認識手段と、
前記計数金額と一時会員加入を示すカード識別番号をプリペイドカードに書込むと共に、同内容をカード印刷部に印刷させるプリペイドカード生成手段と、
その生成したプリペイドカードの内容情報を前記投票応答サブシステムへ通信回線接続回路部を介して送信し、そのカードをカード発行排出口より排出するプリペイドカード発行手段とを備えることを特徴とする。
【００１１】
また、前記プリペイドカード発行装置は、現金収納係員が携帯可能な形状で、ユーザから受取った現金の金額を入力するキー入力部から金額データ信号を受け、次に発行開始の押下信号を受ける金額データ／発行開始信号入力手段と、
前記金額と一時会員カード識別番号をプリペイドカードに書込むと共に、同内容をレシート印刷部にレシートを印刷させるプリペイドカード生成手段と、
その生成したプリペイドカードの内容情報を前記投票応答サブシステムへ通信回線接続回路部を介して送信し、そのカードをカード発行排出口より排出するプリペイドカード発行手段とを備えることを特徴とする。
【００１２】
また、前記プリペイドカード払戻機は、プリペイドカードリーダ部の挿入口へ挿入されたカードのデータ情報を読取るカードデータ読取手段と、
前記投票応答サブシステムと交信し、そこに一時会員として登録されたデータベースを検索し、カードの残額を表示して確認するカード残額表示確認手段と、その精算希望があれば、現金排出部へ指令信号を送り、その金額を排出口より排出する残額排出手段と、
前記残額情報データをレシート印刷部へ指令してレシートに印刷して排出するレシート出力手段とを備えることを特徴とする。
【００１３】
【発明の実施の形態】
本発明の実施の形態を、以下図に基づいて説明する。
【００１４】
図１は本発明の発売係員携帯の移動型端末機を利用できる勝馬投票システムの構成図を示す。
【００１５】
ここで、１０は競馬場の現金投票所内に設置された固定型勝馬投票端末機である。２０は競馬場の観客席・指定席のユーザのために投票管理運営企業の発売係員が携帯する移動型投票端末機である。
【００１６】
１００は、端末機２０専用のプリペイドカードであり、発売係員はユーザのプリペイドカードを端末機２０のプリペイドカード読取部２５に入れて、ユーザが購入希望の指定をチェック記入した投票カードをその投票カードリーダ２４により読込み、投票応答サブシステム５０と交信してその投票データ処理を行う。（図２参照）
【００１７】
８０は無線受信機である。移動型勝馬投票端末機２０の無線ＬＡＮ通信回路部２２から無線を受信し、通信回線９０を介して投票応答サブシステム５０に中継する。
【００１８】
３０はプリペイドカード発行装置であり、現金投票所内に設置され、前記移動型投票端末機２０により投票券購入料金処理に使うプリペイドカードを記録媒体１００で形成し、前記投票応答サブシステム５０へそのカードの識別番号と入金金額を記録させ、一時会員として登録する。その識別番号をカードへ書込み記録、印刷し専用のプリペイドカードを発行する装置である。
【００１９】
その記録媒体１００はＩＣカード、磁気ストライプカード（プラスティック製、紙製など）、ＣＤ−ＲＯＭカードなどのカード媒体の何れを利用してもよい。繰り返し使用の期間が短い場合は、紙製の磁気ストライプカードが一番安価であるため、紙カードの利用が望ましい。
【００２０】
なお、図３に示すプリペイドカード発行装置３０は固定型であるが、請求項４記載のプリペイドカード発行装置は、現金収納係員が携帯して、来場者の座席で現金を受け取り、プリペイドカードを発売する携帯型である。この場合は、現金計数収納部３５が不要となるので、軽量とすることができる。
【００２１】
４０は、プリペイドカード払戻機であり、そのプリペイドカード発行装置３０の近くに設置され、前記専用プリペイドカード１００の残金精算処理ができる。
【００２２】
５０は前述の投票応答サブシステムであり、５１は投票応答の申込アクセス信号を受信し、ホスト計算機システム６０と交信し投票受付Ｎｏ．などを受信し、端末機１０、２０へ返信する投票応答コンピュータである。５２はそれらの処理に必要なデータベース装置、５３は通信回線９０との接続回路部、５４はホスト計算機システム６０との接続回路部である。
【００２３】
前述したホスト計算機システム６０は、前記現金投票所における通常の現金購入による投票データ発信端末７０及びサブシステム５０等から通信回線を介して総ての投票データを収集すると共に、開催日時案内／出馬表／オッズ情報を含む各競馬場の投票情報を更新・記録する投票管理運営企業側の総合センタにあるホスト計算機システムである。
【００２４】
さらに詳しく移動型投票端末機２０を説明する。図２に示すように、中央制御部２１、無線ＬＡＮ通信回路部２２、ディスク装置２３、投票カードリーダ部２４、プリペイドカードリーダ部２５、レシートプリンタ２６、表示部２７、キー入力部２８、バス２９からなる。２２ａはアンテナであり無線受信機２９を介して投票応答サブシステム５０と交信する。１００はプリペイドカード、１５０は来場したユーザまたは係員がその希望を聞き取り記入した投票カード、２００はレシートを示す。
【００２５】
中央制御部２１は、カード残金（カード現在使用可能金額）表示手段２１ａと、投票情報送信手段２１ｂと、受付Ｎｏ．発売許可信号受信手段２１ｃと、投票情報レシート印刷手段２１ｄと、投票カード訂正手段２１ｅとからなる手段である。
【００２６】
手段２１ａは、前記専用のプリペイドカード１００をプリペイドカードリーダ部２５より読込むと共に、投票応答サブシステムと交信し、前記一時会員のカード識別番号により残金情報を受信し、その金額を表示部２７へ表示する手段である。なお、残金情報は、一時会員登録された投票応答サブシステム５０で管理されているので、カードに記録させる必要はないが、プリペイドカード１００がＩＣカードなどの読出し、書込み可能なカードを利用する場合、払戻金を含めた残金情報をカードのＩＣに更新書込むこともできる。
【００２７】
手段１２ｂは、購入したい投票券を特定するためマークを記入した投票カードを投票カードリーダ部２４により読込みエラーチェックを行って、エラーが無く、且つ、前記残金の範囲内であれば投票応答サブシステム５０へ無線ＬＡＮ通信回路部２２より送信する手段である。尚、ここで係員が、直接キー入力部２８から投票カードに代る投票データを入力してもよい。
【００２８】
手段１２ｃは、投票応答サブシステム５０がホスト計算機システム６０と交信して取得した投票受付Ｎｏ．を受信し、且つ投票受付Ｎｏ．と共に発売許可信号も受信し、それらを表示部２７へ表示する手段である。
【００２９】
手段１２ｄは、前記発売許可信号を受信したときは、その投票受付Ｎｏ．を含む情報データのレシートをレシートプリンタ２６により印刷出力する。
【００３０】
手段１２ｅは、投票カードにエラーがあったときは係員が訂正できるテンキー・ファンクションキーよりなるキー入力部２８により投票内容を訂正する手段である。
【００３１】
次に、プリペイドカード発行装置３０を説明する。それは図３に示すように、中央制御部３１、通信回線９０との接続回路部３２（モデムなど）、現金計数収納部３５、カード印刷発行部３６、表示部３７、キー入力部３８、バス３９とからなる。
【００３２】
中央制御部３１は、現金計数収納手段３１ａ、投入金額表示手段３１ｂ、確認信号認識手段３１ｃ、プリペイドカード生成手段３１ｄ、プリペイドカード発行手段３１ｅとを備える。
【００３３】
ここで、手段３１ａは現金計数収納部３５に投入された現金を収納し、計数された金額データをバス３９より入力する手段である。
【００３４】
手段３１ｂは前記計数された金額データと表示部へ出力する手段である。
【００３５】
手段３１ｃはユーザ投入金額と計数金額が一致したことを確認するユーザがキー入力部３８により押下するＯＫボタン信号をバス３９より入力して認識する手段である。
【００３６】
手段３１ｄは、ＯＫ信号を認識した計数金額を、前記一時会員加入を示すカード識別番号をプリペイドカードにキー入力部３８より書込むと共に同内容をカード印刷発行部３６に印刷させる手段である。
【００３７】
手段３１ｅはその生成したプリペイドカード１００の内容情報を投票応答サブシステム５０へ通信回線接続回路部３２を介して送信し、そのカードをカード印刷発行部３６の排出口より排出させる手段である。
【００３８】
また、プリペイドカード発行装置３０´は図示していないが、以下のようであってもよい。
【００３９】
プリペイドカード発行装置３０は自動式であったが、以下に説明するプリペイドカード発行装置３０´は手動式といってよい。すなわち、図３における現金計数収納部３５がなく、現金収納係員がユーザから現金を受取って、キー入力部からその金額を入力する装置３０´である。
【００４０】
すなわち、中央制御部３１´は、金額データ／発行開始信号入力手段３１´ａ、プリペイドカード生成手段３１´ｂ、プリペイドカード発行手段３１´ｃを備える。
【００４１】
手段３１´ａは収納係員が受取った現金の金額をキー入力部３８´から入力したデータ信号を受け、次に発行開始の信号を受ける手段である。
【００４２】
手段３１´ｂはその受けた金額データと一時会員カード識別番号をプリペイドカードに書込むと共に、同内容をレシート印刷発行部３６´にレシートを印刷させる手段である。
【００４３】
手段３１´ｃは、その生成したプリペイドカードの一時会員カード識別番号を含む内容情報を投票応答サブシステム５０へ通信回線接続回路部３２´を介して送信し、そのカードをカード印刷発行部３６´より排出させる手段である。
【００４４】
次に、プリペイドカード払戻機４０について、図４によりその詳細を説明する。
払戻機４０は、中央制御部４１、通信回線９０との接続回路部４２、プリペイドカードリーダ部４５、現金排出部４６よりなる。
【００４５】
中央制御部４１はプリペイドカードリーダ部４５の挿入口へ挿入されたカードのデータ情報を読取るカードデータ読取手段４１ａを備える。
【００４６】
また、投票応答サブシステム５０と交信し、一時会員として登録されたデータベース５２ａを検索し、払戻金を含めた残額を表示して確認するカード残額表示確認手段４１ｂを備える。
【００４７】
また、その残額の精算指示により、現金排出部４６へ指令信号を送り、その金額を排出口より排出する残額排出手段４１ｃを備える。
【００４８】
また、残額情報データをレシート印刷部４４へ指令しレシートに印刷して排出するレシート出力手段４１ｄを備える。
【００４９】
次に、投票応答サブシステム５０の投票応答コンピュータ５１は通常の業務プログラム５１ｘに加えて、移動型勝馬投票端末機２０に使用するプリペイドカード発行装置３０からのプリペイドカード１００の発行に際して一時会員としてユーザ登録し、そのカードの識別番号と入金金額を記録するプリペイドカード専用一時会員登録手段５１ａを備える。
【００５０】
それらに必要な一時会員データベース５２ａ及び通常業務用データベース５２ｘを備える。
【００５１】
次に、本発明の発売係員携帯の移動型投票端末機を利用できる勝馬投票システムの動作の流れを図６に示す。
【００５２】
この流れ図は指定席のユーザの投票申込を受けた発売係員が携帯している移動型投票端末機２０により勝馬投票を行った場合を示してある。
【００５３】
【発明の効果】
本発明の発売係員携帯の移動型投票端末機を利用できる勝馬投票システムは以下に示す効果を奏する。
【００５４】
すなわち、競馬場の観客席とくに指定席にいるユーザはプリペイドカードにより、現金投票所に設置してある固定型の投票端末機まで行かなくても係員に依頼すれば、その場で投票券を購入することができる。
【００５５】
通常、指定席と現金投票所間の距離は比較的離れているので、ユーザにとって便利であり投票管理運営企業側にとっても売上向上に効果がある。
【００５６】
また、観客席など客溜まりでの発売においては現金決済は危険が伴うが、そこでの現金を扱うことのないプリペイドカード方式とすることができる。
【図面の簡単な説明】
【図１】本発明の発売係員携帯の移動型投票端末機を利用できる勝馬投票システムの構成図である。
【図２】本発明の移動型勝馬投票端末機の構成図である。
【図３】本発明のプリペイドカード発行装置の構成図である。
【図４】本発明のプリペイドカード払戻機の構成図である。
【図５】固定型勝馬投票端末機の構成図である。
【図６】本発明の発売係員携帯の移動型投票端末機を利用できる勝馬投票システムの動作の流れ図である。
【符号の説明】
１０  固定型勝馬投票端末機
２０  移動型勝馬投票端末機
２１  中央制御部
２２  無線ＬＡＮ通信回路部
２３  ディスク装置
２４  投票カードリーダ部
２５  プリペイドカードリーダ部
２６  レシートプリンタ
２７  表示部
２８  キー入力部
２９  バス
３０  プリペイドカード発行装置
３１  中央制御部
３２  通信回線との接続回路部
３５  現金計数収納部
３６  カード印刷発行部
３７  表示部
３８  キー入力部
３９  バス
４０  プリペイドカード払戻機
４１  中央制御部
４２  通信回線との接続回路部
４４  レシート印刷部
４５  プリペイドカードリーダ部
４６  現金排出部
４７  表示部
４８  キー・ボタン入力部
４９  バス
５０  投票応答サブシステム
５１  投票応答コンピュータ
５２  データベース装置
５３  通信回線との接続回路部
５４  ホスト計算機との接続回路部
６０  ホスト計算機システム
７０  投票データ発信端末群
８０  無線受信機
９０  通信回線
【図１】
0003682484.tif 000002
【図２】
0003682484.tif 000003
【図３】
0003682484.tif 000004
【図４】
0003682484.tif 000005
【図５】
0003682484.tif 000006
【図６】
0003682484.tif 000007